(57)【要約】      （修正有）【課題】組立状態のまま容易に別の場所へ移動させることができるクロマトグラフ装置を提供する。【解決手段】クロマトグラフ装置は、試料導入部コンポネント、検出器コンポネント３０、カラムコンポネントがそれぞれ少なくとも１個設けられ、試料導入部コンポネントとカラムコンポネントとの間、及び、カラムコンポネントと検出器コンポネント３０との間を接続するための配管及び／又はケーブルとを備える。各コンポネント３０の下面にキャスタ３０ｂが形成される。【選択図】図２
0003190931.tif 000002
【実用新案登録請求の範囲】
【請求項１】
筐体内部に分析部材が配置された複数のコンポネントと、
各コンポネント間をそれぞれ接続するための配管及び／又はケーブルとを備えるクロマトグラフ装置であって、
各コンポネントの下面には、キャスタが形成されていることを特徴とするクロマトグラフ装置。
【請求項２】
前記複数のコンポネントは、少なくとも１個の試料導入部コンポネント、少なくとも１個の検出器コンポネント、及び、少なくとも１個のカラムコンポネントであることを特徴とする請求項１に記載のクロマトグラフ装置。
【請求項３】
前記試料導入部コンポネント、前記検出器コンポネント及び前記カラムコンポネントは、直方体形状の筐体を有することを特徴とする請求項２に記載のクロマトグラフ装置。
【請求項４】
前記キャスタは、ロックとロック解除とが可能となるように形成されていることを特徴とする請求項１〜請求項３のいずれか１項に記載のクロマトグラフ装置。
【請求項５】
前記各コンポネントの上面には、当該上面に載置された他のコンポネントの前記キャスタが挿入される窪みが形成されていることを特徴とする請求項１〜請求項４のいずれか１項に記載のクロマトグラフ装置。
【請求項６】
前記各コンポネントの下面には、凹部が形成されているとともに、
前記各コンポネントの上面には、当該上面に載置された他のコンポネントの凹部に挿入される凸部が形成されていることを特徴とする請求項１〜請求項４のいずれか１項に記載のクロマトグラフ装置。
【考案の詳細な説明】
【技術分野】
【０００１】
本考案は、クロマトグラフ装置に関し、さらに詳しくは、複数のコンポネントを備えるクロマトグラフ装置に関する。
【背景技術】
【０００２】
空気中の環境汚染物質、例えば各種の揮発性有機化合物（ＶＯＣ：Ｖｏｌａｔｉｌｅ  Ｏｒｇａｎｉｃ  Ｃｏｍｐｏｕｎｄｓ）は、シックハウス問題の原因物質としてその測定技術の確立が急務とされている。近年、ＶＯＣよりもさらに沸点の高い有機化合物群である半揮発性有機化合物（ＳＶＯＣ：Ｓｅｍｉ−Ｖｏｌａｔｉｌｅ  Ｏｒｇａｎｉｃ  Ｃｏｍｐｏｕｎｄｓ）も含めて環境汚染源となり得る有機化合物は、１００種を超えると言われる。これら多種の物質を分離して定性・定量するための分析装置として、クロマトグラフ装置が多用されており、例えば、第一カラムコンポネントや第二カラムコンポネント等の複数のカラムコンポネントを用いるクロマトグラフ装置が知られている（例えば、特許文献１参照）。
【０００３】
図３（ａ）は、複数のコンポネントを備える従来の液体クロマトグラフ装置の一例の組立図であり、図３（ｂ）は、図３（ａ）に示す液体クロマトグラフ装置の分解図である。
液体クロマトグラフ装置１０１は、試料導入部を有する試料導入部コンポネント１２０と、水素炎イオン化検出器（ＦＩＤ）を有する検出器コンポネント１３０と、カラムコンポネント１４０と、溶媒瓶７１ａが載置されるための溶媒瓶コンポネント（リザーバトレイ）１７０と、複数の配管５０と、複数のケーブル（図示せず）とを備える。
【０００４】
試料導入部コンポネント１２０は、上下左右及び前後の６面が囲われた直方体形状（例えば５０ｃｍ×２５ｃｍ×４０ｃｍ）の筐体１２０ａを有し、筐体１２０ａの内部には、試料が導入される試料導入部が配置されている。また、筐体１２０ａには、配管５０や電源・通信ケーブル等が挿入される開口が形成されている。
【０００５】
検出器コンポネント１３０は、試料導入部コンポネント１２０と同様に６面が囲われた直方体形状（例えば５０ｃｍ×２５ｃｍ×１５ｃｍ）の断熱性の筐体１３０ａを有し、筐体１３０ａの内部には、ＦＩＤが配置されている。また、筐体１３０ａには、配管５０や電源・通信ケーブル等が挿入される開口が形成されている。
【０００６】
カラムコンポネント１４０は、試料導入部コンポネント１２０と同様に６面が囲われた直方体形状（例えば５０ｃｍ×２５ｃｍ×４０ｃｍ）の断熱性の筐体１４０ａを有し、筐体１４０ａの内部には、カラムと、カラムの温度を制御するカラムヒータとが配置されている。また、筐体１４０ａには、配管５０や電源・通信ケーブル等が挿入される開口が形成されている。なお、カラムの内部には液相が塗布されており、試料がカラム内部を通過する際には、試料中の各化合物が分配係数若しくは溶解度に応じた速度で移動するとともに、出口端から順次排出されるようになっている。
【０００７】
溶媒瓶コンポネント１７０は、下面（例えば５０ｃｍ×２ｃｍ）と、当該下面周縁部から立設する前後左右の４面からなる筐体１７０ａを有し、下面上に溶媒瓶７１ａが載置されるようになっている。
【０００８】
配管５０は、例えば外径０．３５ｍｍ、内径０．２５ｍｍのフューズドシリカ製のキャピラリ管であって、配管５０の内部には、液相等は塗布されていない。
【０００９】
ここで、液体クロマトグラフ装置１０１を組み立てる組立方法の一例について図３を参照しつつ説明する。
まず、分析者は、目的物質を定性・定量するために必要となる試料導入部コンポネント１２０、検出器コンポネント１３０、カラムコンポネント１４０、溶媒瓶コンポネント１７０を準備する。次に、分析者は、テーブルＴ上に検出器コンポネント１３０を載置して、第一の配管５０の入口端と検出器コンポネント１３０とを接続するとともに、床に載置された廃液瓶７１ｂと第一の配管５０の出口端とを接続する。これにより、試料が検出器コンポネント１３０から第一の配管５０を介して廃液瓶７１ｂへ流通するようになる。
【００１０】
次に、分析者は、検出器コンポネント１３０の上面にカラムコンポネント１４０を載置して、第二の配管５０の入口端とカラムコンポネント１４０とを接続するとともに、第二の配管５０の出口端と検出器コンポネント１３０とを接続する。これにより、試料がカラムコンポネント１４０から第二の配管５０を介して検出器コンポネント１３０へ流通するようになる。
【００１１】
次に、分析者は、カラムコンポネント１４０の上面に試料導入部コンポネント１２０を載置して、第三の配管５０の入口端と試料導入部コンポネント１２０とを接続するとともに、第三の配管５０の出口端とカラムコンポネント１４０とを接続する。これにより、試料が試料導入部コンポネント１２０から第三の配管５０を介してカラムコンポネント１４０へ流通するようになる。
【００１２】
次に、分析者は、試料導入部コンポネント１２０の上面に溶媒瓶コンポネント１７０を載置して、第四の配管５０の入口端と、溶媒瓶コンポネント１７０に載置された溶媒瓶７１ａとを接続するとともに、第四の配管５０の出口端と試料導入部コンポネント１２０とを接続する。これにより、溶媒が溶媒瓶７１ａから第四の配管５０を介して試料導入部コンポネント１２０へ流通するようになる。
なお、電源・通信ケーブルも配管５０と同様に接続することになる。
【先行技術文献】
【特許文献】
【００１３】
【特許文献１】米国特許第６５３０２６０号明細書
【考案の概要】
【考案が解決しようとする課題】
【００１４】
ところで、上述したような液体クロマトグラフ装置１０１では、４個のコンポネント１２０、１３０、１４０、１７０を積み上げた状態となり、各コンポネント１２０、１３０、１４０、１７０は重量が大きいことから、液体クロマトグラフ装置１０１を組立状態のままテーブルＴ上の別の場所に移動させる必要が生じたときの移動が困難であった。そのため、移動の際には一旦各コンポネント１２０、１３０、１４０、１７０間の全ての配管５０と電源・通信ケーブルとを取り外した後、コンポネント１２０、１３０、１４０、１７０を１個ずつ移動させ、その後、各コンポネント１２０、１３０、１４０、１７０間の全ての配管５０と電源・通信ケーブルとを再び接続していた。つまり、液体クロマトグラフ装置１０１を移動させるには、非常に時間と労力を要するという問題点があった。
そこで、本考案は、組立状態のまま容易に別の場所へ移動させることができるクロマトグラフ装置を提供することを目的とするものである。
【課題を解決するための手段】
【００１５】
上記課題を解決するためになされた本考案のクロマトグラフ装置は、筐体内部に分析部材が配置された複数のコンポネントと、各コンポネント間をそれぞれ接続するための配管及び／又はケーブルとを備えるクロマトグラフ装置であって、各コンポネントの下面には、キャスタが形成されているようにしている。
【００１６】
ここで、「分析部材」とは、クロマトグラフ装置に必要な部材であり、例えば、試料導入部や検出器やカラムやポンプや電源等が挙げられる。
【考案の効果】
【００１７】
以上のように、本考案のクロマトグラフ装置によれば、複数のコンポネントを積み上げた組立状態であっても、同じテーブル上であれば、各コンポネント間の全ての配管とケーブルとを取り外す必要がなく、そのまま別の場所へ安全に移動させることができる。
【００１８】
（その他の課題を解決するための手段および効果）
また、本考案のクロマトグラフ装置においては、前記複数のコンポネントは、少なくとも１個の試料導入部コンポネント、少なくとも１個の検出器コンポネント、及び、少なくとも１個のカラムコンポネントであるようにしてもよい。
また、本考案のクロマトグラフ装置においては、前記試料導入部コンポネント、前記検出器コンポネント及び前記カラムコンポネントは、直方体形状の筐体を有するようにしてもよい。
【００１９】
また、本考案のクロマトグラフ装置においては、前記キャスタは、ロックとロック解除とが可能となるように形成されていてもよい。
そして、本考案のクロマトグラフ装置においては、各コンポネントの上面には、当該上面に載置された他のコンポネントのキャスタが挿入される窪みが形成されているようにしてもよい。
さらに、本考案のクロマトグラフ装置においては、各コンポネントの下面には、凹部が形成されているとともに、各コンポネントの上面には、当該上面に載置された他のコンポネントの凹部に挿入される凸部が形成されているようにしてもよい。
このような本考案のクロマトグラフ装置によれば、各コンポネントの下面にキャスタが形成されていても、安定して設置することができる。
【図面の簡単な説明】
【００２０】
【図１】本考案の一実施形態である液体クロマトグラフ装置を示す図。
【図２】図１における検出器コンポネントを示す図。
【図３】複数のコンポネントを備える従来の液体クロマトグラフ装置を示す図。
【考案を実施するための形態】
【００２１】
以下、本考案の実施形態について図面を用いて説明する。なお、本考案は、以下に説明するような実施形態に限定されるものではなく、本考案の趣旨を逸脱しない範囲で種々の態様が含まれる。
【００２２】
図１（ａ）は、本考案の一実施形態である液体クロマトグラフ装置の一例の組立図であり、図１（ｂ）は、図１（ａ）に示す液体クロマトグラフ装置の分解図である。なお、上述した液体クロマトグラフ装置１０１と同様のものについては、同じ符号を付している。
液体クロマトグラフ装置１は、試料導入部を有する試料導入部コンポネント２０と、水素炎イオン化検出器（ＦＩＤ）を有する検出器コンポネント３０と、カラムコンポネント４０と、溶媒瓶７１ａが載置されるための溶媒瓶コンポネント（リザーバトレイ）７０と、複数の配管５０と、複数のケーブル（図示せず）とを備える。
【００２３】
ここで、図２（ａ）は、図１に示す検出器コンポネント３０の正面図であり、図２（ｂ）はその底面図、図２（ｃ）はその平面図である。
検出器コンポネント３０は、上下左右及び前後の６面が囲われた直方体形状（例えば５０ｃｍ×２５ｃｍ×１５ｃｍ）の筐体３０ａを有し、筐体３０ａの内部には、ＦＩＤが配置されている。また、筐体３０ａには、配管５０や電源・通信ケーブル等が挿入される開口が形成されている。
そして、筐体３０ａ下面の四隅の所定位置には、４個の球形（例えば直径５ｃｍ）のキャスタ３０ｂと、４個の円柱形状（例えば直径２ｃｍ×高さ３ｃｍ）の転落防止ポール穴（凹部）３０ｃとが形成され、４個のキャスタ３０ｂには、それぞれにロックとロック解除とが可能なロックスイッチ３０ｆが取り付けられている。
さらに、筐体３０ａ上面の四隅の所定位置には、４個の円柱形状（例えば直径２ｃｍ×高さ３ｃｍ）の窪み３０ｄと、４個の円柱形状（例えば直径２ｃｍ×高さ３ｃｍ）の転落防止ポール（凸部）３０ｅとが形成されている。
【００２４】
試料導入部コンポネント２０は、検出器コンポネント３０と同様に６面が囲われた直方体形状（例えば５０ｃｍ×２５ｃｍ×４０ｃｍ）の断熱性の筐体２０ａを有し、筐体２０ａの内部には、試料が導入される試料導入部が配置されている。また、筐体２０ａには、配管５０や電源・通信ケーブル等が挿入される開口が形成されている。
そして、筐体２０ａの下面は、検出器コンポネント３０の下面と同様の構造となっており、４個の球形（例えば直径５ｃｍ）のキャスタと、４個の円柱形状（例えば直径２ｃｍ×高さ３ｃｍ）の転落防止ポール穴（凹部）とが形成され、４個のキャスタには、それぞれにロックとロック解除とが可能なロックスイッチが取り付けられている。
さらに、筐体２０ａの上面は、検出器コンポネント３０の上面と同様の構造となっており、４個の円柱形状（例えば直径２ｃｍ×高さ３ｃｍ）の窪みと、４個の円柱形状（例えば直径２ｃｍ×高さ３ｃｍ）の転落防止ポール（凸部）とが形成されている。
【００２５】
カラムコンポネント４０は、検出器コンポネント３０と同様に６面が囲われた直方体形状（例えば５０ｃｍ×２５ｃｍ×４０ｃｍ）の断熱性の筐体４０ａを有し、筐体４０ａの内部には、カラムと、カラムの温度を制御するカラムヒータとが配置されている。また、筐体４０ａには、配管５０や電源・通信ケーブル等が挿入される開口が形成されている。
そして、筐体４０ａの下面は、検出器コンポネント３０の下面と同様の構造となっており、４個の球形（例えば直径５ｃｍ）のキャスタと、４個の円柱形状（例えば直径２ｃｍ×高さ３ｃｍ）の転落防止ポール穴（凹部）とが形成され、４個のキャスタには、それぞれにロックとロック解除とが可能なロックスイッチが取り付けられている。
さらに、筐体４０ａの上面は、検出器コンポネント３０の上面と同様の構造となっており、４個の円柱形状（例えば直径２ｃｍ×高さ３ｃｍ）の窪みと、４個の円柱形状（例えば直径２ｃｍ×高さ３ｃｍ）の転落防止ポール（凸部）とが形成されている。
【００２６】
溶媒瓶コンポネント７０は、下面（例えば５０ｃｍ×２５ｃｍ）と、当該下面周縁部から立設する前後左右の４面からなる筐体７０ａを有し、下面上に溶媒瓶７１ａが載置されるようになっている。
また、筐体７０ａ下面の四隅の所定位置には、４個の円柱形状（例えば直径２ｃｍ×高さ３ｃｍ）の転落防止ポール穴（凹部）が形成されている。
【００２７】
次に、液体クロマトグラフ装置１を組み立てる組立方法の一例について図１を参照しつつ説明する。
まず、分析者は、目的物質を定性・定量するために必要となる試料導入部コンポネント２０、検出器コンポネント３０、カラムコンポネント４０、溶媒瓶コンポネント７０を準備する。次に、分析者は、テーブルＴ上に、キャスタ３０ｂをロックした検出器コンポネント３０を載置して、第一の配管５０の入口端と検出器コンポネント３０とを接続するとともに、床に載置された廃液瓶７１ｂと第一の配管５０の出口端とを接続する。これにより、試料が検出器コンポネント３０から第一の配管５０を介して廃液瓶７１ｂへ流通するようになる。
【００２８】
次に、分析者は、検出器コンポネント３０の上面にカラムコンポネント４０を載置する。このとき、４個の窪み３０ｄ内にカラムコンポネント４０のキャスタが挿入され、カラムコンポネント４０下面の４個の転落防止ポール穴内に検出器コンポネント３０の転落防止ポール３０ｅが挿入される。そして、第二の配管５０の入口端とカラムコンポネント４０とを接続するとともに、第二の配管５０の出口端と検出器コンポネント３０とを接続する。これにより、試料がカラムコンポネント４０から第二の配管５０を介して検出器コンポネント３０へ流通するようになる。
【００２９】
次に、分析者は、カラムコンポネント４０の上面に試料導入部コンポネント２０を載置する。このとき、上記と同様に４個の窪み内にキャスタが挿入され、４個の転落防止ポールが転落防止ポール穴内に挿入される。そして、第三の配管５０の入口端と試料導入部コンポネント２０とを接続するとともに、第三の配管５０の出口端とカラムコンポネント４０とを接続する。これにより、試料が試料導入部コンポネント２０から第三の配管５０を介してカラムコンポネント４０へ流通するようになる。
【００３０】
次に、分析者は、試料導入部コンポネント２０の上面に溶媒瓶コンポネント７０を載置する。このとき、４個の転落防止ポールが試料導入部コンポネント２０の転落防止ポール穴内に挿入される。そして、第四の配管５０の入口端と、溶媒瓶コンポネント７０に載置された溶媒瓶７１ａとを接続するとともに、第四の配管５０の出口端と試料導入部コンポネント２０とを接続する。これにより、溶媒が溶媒瓶７１ａから第四の配管５０を介して試料導入部コンポネント２０へ流通するようになる。
なお、電源・通信ケーブルも配管５０と同様に接続することになる。
【００３１】
その後、分析者は、液体クロマトグラフ装置１の組立状態のままテーブルＴ上の別の場所に移動させる必要が生じたときには、検出器コンポネント３０のキャスタ３０ｂのロックを解除して移動させることになる。したがって、本考案の液体クロマトグラフ装置１によれば、各コンポネント２０、３０、４０、７０間の全ての配管５０と電源・通信ケーブルとを取り外す必要がなくなる。
【００３２】
＜他の実施形態＞
上述した液体クロマトグラフ装置１においては、検出器コンポネント３０とカラムコンポネント４０と試料導入部コンポネント２０と溶媒瓶コンポネント７０とをこの順に積み上げた構成としたが、順序を変えて、カラムコンポネント４０と検出器コンポネント３０と試料導入部コンポネント２０と溶媒瓶コンポネント７０とを順に積み上げるような構成としてもよい。また、カラムコンポネント４０を２つ設け、検出器コンポネント３０と第二のカラムコンポネント４０’と第一のカラムコンポネント４０と試料導入部コンポネント２０と溶媒瓶コンポネント７０とをこの順に積み上げるような構成としてもよい。
【産業上の利用可能性】
【００３３】
本考案は、例えば、複数のコンポネントを備えるクロマトグラフ装置等に利用することができる。
【符号の説明】
【００３４】
１：  液体クロマトグラフ装置
２０：  試料導入部コンポネント
３０：  検出器コンポネント
３０ｂ：  キャスタ
４０：  カラムコンポネント
５０：  配管
【図１】
0003190931.tif 000003
【図２】
0003190931.tif 000004
【図３】
0003190931.tif 000005